(57)【特許請求の範囲】
【請求項１】
筒形状の口部を有する容器本体部と、前記口部の外周側面に嵌め込まれて圧着する可撓性材質の蓋部とを備えた容器であって、
前記口部の外周側面の一部に形成される口部側面凹部と、前記蓋部の内周側面に設けられ、前記口部側面凹部を押圧して前記蓋部を前記口部に係止する蓋部側面凸部と、を有し、
前記蓋部側面凸部下方で、前記蓋部の内周側面と前記口部側面凹部との間に形成される所定の間隙に向けて、蓋部側面の押圧による前記蓋部の撓み変形により前記係止を解除することを特徴とする容器。
【請求項２】
前記口部側面凹部は、前記口部の中心軸に対して軸対称となる、前記外周側面の両位置に水平方向所定長さに形成された一対の溝部から成り、前記蓋部側面凸部は、前記蓋部の中心軸に対して軸対称となる、前記内周側面の両位置に水平方向所定長さに形成された一対の突出部から成る請求項１に記載の容器。
【請求項３】
前記蓋部の側面は、前記蓋部の前記中心軸に対して前記一対の突出部と直交する位置に一対の切込部が形成される請求項２に記載の容器。
【請求項４】
前記切込部は、三角形状に形成されて成る請求項３に記載の容器。
【請求項５】
前記蓋部の外周側面は、前記一対の突出部の外側の所定部分にシボ加工による表面処理部が形成される請求項２乃至４のいずれかに記載の容器。
【発明の詳細な説明】
【技術分野】
【０００１】
本発明は、筒形状の口部を有する容器本体部及び該口部の外周側面に嵌め込まれて圧着する可撓性材質の蓋部を備えた容器に関する。
【背景技術】
【０００２】
開閉による使用頻度の高い容器の蓋には、例えば、プレス式の嵌め込み式、スクリュー式又はヒンジ式等の開閉機構を有するキャップ蓋等が用いられている。このようなキャップ蓋等による容器からの開閉を容易にするために、蓋の周側面上を単に押圧することで可能としたディスク容器が提案されている（特許文献１参照）。
【０００３】
上記特許文献１に記載のディスク容器は、容器本体の周壁上の周回りに溝が形成され、該溝が一対の側部を有し、かつ容器本体のベースに最も近い溝の側部は蓋の周側面と係合しかつ蓋の周側面をその溝へ押圧するときに容器本体から離れるように蓋を付勢する凹形側部を形成する構造となっているので、容器本体から蓋が容易に外れることになる。
【先行技術文献】
【特許文献】
【０００４】
【特許文献１】特許第３６７６３６６号公報
【発明の概要】
【発明が解決しようとする課題】
【０００５】
上記特許文献１に記載の容器によれば、蓋の側面を押圧することで容易に開蓋が可能となるので、使用者には利便性の良い容器となっているが、一方、このような開蓋の容易な容器は、幼児等にとっても開蓋が容易となるので、幼児による予期しない開蓋により容器内の収容物（例えば、洗剤等）を周囲にまき散らしてしまう等の問題が生じる。
【０００６】
本発明は、使用者にとっては容器の開蓋が容易であるが、幼児等にとっては開蓋が困難となる構造を有する容器の提供を目的とする。
【課題を解決するための手段】
【０００７】
上記課題を解決するために本発明に係る容器は、筒形状の口部を有する容器本体部と、前記口部の外周側面に嵌め込まれて圧着する可撓性材質の蓋部とを備えた容器であって、前記口部の外周側面の一部に形成される口部側面凹部と、前記蓋部の内周側面に設けられ、前記口部側面凹部を押圧して前記蓋部を前記口部に係止する蓋部側面凸部と、を有し、前記蓋部側面凸部下方で、前記蓋部の内周側面と前記口部側面凹部との間に形成される所定の間隙に向けて、蓋部側面の押圧による前記蓋部の撓み変形により前記係止を解除することを特徴とする構成である。
【０００８】
このような構成によれば、閉蓋状態である容器の可撓性材質から成る蓋部の側面の所定部分を手で押して蓋部を撓み変形させ、口部側面凹部に対する蓋部側面凸部の係止を解除させることで容易に開蓋可能となる。一方、手の小さい幼児には、指で蓋部の側面の所定部分を手で押して撓み変形させての係止解除は難しく、当該容器の開蓋は困難さが生じる。
【０００９】
本発明に係る容器において、前記口部側面凹部は、前記口部の中心軸に対して軸対称となる、前記外周側面の両位置に水平方向所定長さに形成された一対の溝部から成り、前記蓋部側面凸部は、前記蓋部の中心軸に対して軸対称となる、前記内周側面の両位置に水平方向所定長さに形成された一対の突出部から成る構成とすることができる。
【００１０】
このような構成によれば、口部側面凹部が中心軸対称一対の溝部で、蓋部側面凸部が中心軸対称一対の突出部であるから、中心軸に対して一対の位置でそれぞれ係止するので、係止による閉蓋状態を維持できると共に、当該蓋の外周側面の一対の位置を指で押圧することで、蓋部の撓み変形による係止解除が可能となり、開蓋が容易となる。なお、上記したように、使用者である大人には上記開蓋が容易でも、手の小さい幼児等に上記した蓋の外周側面の一対の位置を指で押圧して蓋部を撓み変形させての開蓋は困難となる。
【００１１】
本発明に係る容器において、前記蓋部の側面は、前記蓋部の前記中心軸に対して前記一対の突出部と直交する位置に一対の切込部が形成される構成とすることができる。
【００１２】
このような構成によれば、蓋部の中心軸に対して一対の突出部と直交する位置に一対の切込部が形成されるので、使用者は、一対の突出部が形成される蓋部側面の外側を指で押圧して蓋部を容易に撓み変形させることができる。これにより、係止解除による開蓋が容易となる。
【００１３】
本発明に係る容器において、前記切込部は、三角形状に形成されて成る構成とすることができる。
【００１４】
このような構成によれば、切込部が三角形状に形成されているので、蓋部の側面を押圧するときに、撓み変形を容易に生じさせることができ、使用者による開蓋を容易にできる。
【００１５】
本発明に係る容器において、前記蓋部の外周側面は、前記一対の突出部の外側の所定部分にシボ加工による表面処理部が形成される構成とすることができる。
【００１６】
蓋部の側面を押圧して、撓み変形させて係止解除による開蓋を行う際に、押圧する側面の所定部分をシボ加工による表面処理がなされているので、開蓋のための押圧を容易に行うことができる。また、シボ加工された所定部分が押圧する部分であると容易に認識できるので、使用者の開蓋が容易となる。
【発明の効果】
【００１７】
本発明に係る容器によれば、容器の使用者である大人男女等は、閉蓋状態である容器の可撓性材質から成る蓋部の側面の所定部分を手で押して蓋部を撓み変形させ、口部側面凹部に対する蓋部側面凸部の係止を解除させることで容易に開蓋でき、一方、手の小さい幼児には、上記動作による開蓋が困難にできる。
【図面の簡単な説明】
【００１８】
【図１Ａ】図１Ａは本発明の実施の形態に係る容器の平面図である。
【図１Ｂ】図１Ｂは図１Ａに示す容器の正面図（図１ＡのＸ１−Ｘ１矢視図）である。
【図２Ａ】図２Ａは図１Ａに示す容器の側面図（（図１ＡのＹ１−Ｙ１矢視図）である。
【図２Ｂ】図２Ｂは図１Ａに示す容器の斜視図である。
【図３】図３は図１Ａに示すＹ２−Ｙ２部分端面図である。
【図４Ａ】図４Ａは本発明の実施の形態に係る容器の構成部分である容器本体部の平面図である。
【図４Ｂ】図４Ｂは図４Ａに示す容器本体部の正面図（図４ＡのＸ３−Ｘ３矢視図）である。
【図５Ａ】図５Ａは本発明の実施の形態に係る容器の構成部分である蓋部の平面図である。
【図５Ｂ】図５Ｂは図５Ａに示す蓋部の正面図（図５ＡのＸ４−Ｘ４矢視図）である。
【図５Ｃ】図５Ｃは図５Ａに示す蓋部の側面図（図５ＡのＹ３−Ｙ３矢視図）である。
【図６Ａ】図６Ａは図５Ａに示す蓋部の裏面の斜視図である。
【図６Ｂ】図６Ｂは図１Ｂに示すＸ２−Ｘ２端面図である。
【図７Ａ】図７Ａは本発明の実施の形態に係る容器の開蓋動作の手順図である（その１）。
【図７Ｂ】図７Ｂは本発明の実施の形態に係る容器の開蓋動作の手順図である（その２）。
【図７Ｃ】図７Ｃは本発明の実施の形態に係る容器の開蓋動作の手順図である（その３）。
【発明を実施するための形態】
【００１９】
以下、本発明の実施の形態について図面を用いて説明する。
【００２０】
本発明の実施の形態に係る容器の構成を図１Ａ、図１Ｂ、図２Ａ、図２Ｂ、図３、図４Ａ、図４Ｂ、図５Ａ〜図５Ｃ、図６Ａ及び図６Ｂを参照して説明する。図１Ａ〜図６Ｂにおいて、容器１１は、上端を口部１２（図３、図４Ｂ参照）とする筒状の容器本体部１３と、口部１２に嵌め込まれて圧着する蓋部１５と、で構成される。
【００２１】
容器本体部１３は、底部１３ａと、底部1３ａから立設する側面部１３ｂ、１３ｃ、１３ｄ、１３ｅを有し、このうち側面部１３ｂ、１３ｃ、１３ｄはそれぞれ所定高さ位置で折れ曲がり、肩部１３ｆと接続し、側面部１３ｅはなだらかに肩部１３ｆと接続する。肩部１３ｆには、円筒状の口部１２が設けられていて、この口部１２の上端の開口１６（図３参照）を塞ぐために蓋部１５が嵌め込まれる。
【００２２】
蓋部１５は、天部１５ａと円筒形状の側面部１５ｂとで形成され、この側面部１５ｂが容器本体部１３の口部１２に嵌め込まれる。蓋部１５の側面部１５ｂには、蓋部１５の中心軸に対して対称となる両位置に切込部が形成されている（切込部の形状は特に限定するものでなく、例えば線状の切込部でも良く、好適には三角形状の切込部である。本実施形態では、好適な三角形状の切込部１８ａ、１８ｂとする。）。切込部１８ａ、１８ｂは、後述するように可撓性材質の蓋部１５の側面部１５ｂの所定位置を指で挟み、蓋部１５を撓み変形させ易くするために形成されたものである。切込部１８ａ、１８ｂは、蓋部１５の側面部１５ｂの下端から側面部１５ｂの高さ３分の２程度まで三角形状に切り込まれて形成される。さらに、側面部１５ｂの外周側面には、切込部１８ａ、１８ｂから上記中心軸回りに略９０度回転した位置を含む所定範囲をシボ加工した一対の表面処理部１９ａ、１９ｂが形成される。シボ加工された表面処理部1９ａ、１９ｂを設けたのは、指で蓋部１５を挟み易くしたことと、指で挟む位置を特定するための両方の理由からである。蓋部１５を容器本体部１３の口部１２に嵌め込んだときに、切込部１８ａ、１８ｂは側面部１３ｄ、１３ｅ側の位置になり、表面処理部１９ａ、１９ｂは側面部１３ｂ、１３ｃ側の位置となる。この表面処理部１９ａ、１９ｂは、上記したように、蓋部１５を指で挟んで撓み変形させる際に、指を当てる部分となる範囲に形成したものである。本実施形態のように非対象な容器本体部１３の場合には、容器本体部１３を手でつかむ方向（即ち、側面部１３ｂ、１３ｃに指をかける方向）と平行あるいは直角方向に蓋部１５の切込部１８ａ、１８ｂを設けると、蓋部１５を指で挟む位置が明確になり好ましい。
【００２３】
可撓性材質から成る蓋部１５は、閉蓋の際には容器本体部１３の口部１２により径方向に押し広げられ、口部１２に嵌め込まれて圧着した状態となる。このとき、口部１２の側面部１２ａの外周側面の一部（円周方向の一部）にそれぞれ形成される口部側面凹部である一対の溝部２１ａ、２１ｂに対して、蓋部１５の側面部１５ｂの内周側面に形成される蓋部側面凸部である一対の突出部２２ａ、２２ｂが押圧するように嵌め込まれ、係止する。具体的には、突出部２２ａ、２２ｂの上部が、溝部２１ａ、２１ｂの内部の上方側の傾斜部（後述する）に圧接されて口部１２に嵌め込まれた蓋部１５は、後述する配置、構造により水平方向の回動と、上下方向（高さ方向）の移動が制約された状態に維持される。
【００２４】
口部１２の側面部１２ａの外周側面の一対の溝部２１ａ、２１ｂのうち、溝部２１ａは容器本体部１３の側面部１３ｂ側に、溝部２１ｂは側面部１３ｃ側にそれぞれ設けられ、口部１２の中心軸に対して対称となる位置に形成される。溝部２１ａ、２１ｂは、横長の長方形状の溝で、当該溝の内部の上方側及び下方側が外側に向けて拡大するように傾斜した形状（傾斜部）となっている（図３、図４Ｂ参照）。溝部２１ａ、２１ｂは、それぞれ横方向（周方向）の長さが口部１２の側面部１２ａの円周の長さの８分の１〜６分の１程度で、高さ方向の長さが側面部１２ａの高さの３分の２〜４分の３程度に形成されている。
【００２５】
蓋部１５の側面部1５ｂの内周側面の一対の突出部２２ａ、２２ｂは、蓋部１５の中心軸に対して対称となる位置に形成される。突出部２２ａ、２２ｂの横方向（周方向）の長さは、溝部２１ａ、２１ｂの横方向（周方向）の長さと略同じ、又は少し小さい程度であり、高さ方向の長さは溝部２１ａ、２１ｂの高さ方向の長さの５分の１程度である。図６Ａ、図６Ｂに示すように、蓋部１５の側面部１５ｂの内周面に形成された一対の突出部２２ａ、２２ｂは、口部１２の側面部１２ａの外周側面に形成された一対の溝部２１ａ、２１ｂに周方向に密着した状態となるので、蓋部１５の周方向の回動は阻止されている。
【００２６】
図３に示すように、蓋部１５が口部１２に対して閉蓋状態のときは、突出部２２ａ、２２ｂは、溝部２１ａ、２１ｂの上方側の傾斜部の下面を押圧し、かつ口部１２の側面部１２ａの上端が蓋部１５の天部1５ａの内側面に当接した状態となり、これにより蓋部１５の高さ方向（中心軸方法）の移動が阻止されている。なお、蓋部１５の側面部１５ｂのうち中間部分には溝部２１ａ、２１ｂとの間に所定の間隙となる空間があり、側面部１５ｂの外周側に形成される表面処理部１９ａ、１９ｂを指で押圧したときに、押圧された側面部1５ｂが上記間隙内へ挿入可能となっている。押圧された側面部１５ｂは、溝部２１ａ、２１ｂとの間の間隙となる空間に向けて押し込まれ、側面部１５ｂの下端が溝部２１ａ、２１ｂの下方側の傾斜部に当たり、これにより蓋部１５を上昇摺動する力が発生する。
【００２７】
次に、上記した容器１１を構成する蓋部１５、容器本体部１３の材質について説明する。可撓性材質から成る蓋部１５は、熱可塑性樹脂の圧縮成形、射出成形等の公知の方法により製造される。熱可塑性樹脂としては、ポリエチレン、ポリプロピレン、エチレン−プロピレン共重合体、ポリブテン−１、エチレン−ブテン−１共重合体、プロピレン−ブテン−１共重合体、エチレン−酢酸ビニル共重合体等のオレフィン系樹脂や、ポリスチレン、スチレン−ブタジエン共重合体、シリコン樹脂等が使用される。蓋部１５としては、ポリエチレンによる射出成形による製造が好ましい。
【００２８】
容器本体部１３は、公知の方法によって製造することができる。例えば、上記した熱可塑性樹脂をパイプ形状に押出し、その一方の先端部をピンチオフしてパリソンを形成し、このパリソンに圧縮エアなどをブローしてボトル状の容器に成形する、所謂ダイレクトブロー成形により製造される。ボトル状の容器を形成する熱可塑性樹脂としては、ボトル形態に成形し得るものであれば特に制限されないが、オレフィン系樹脂あるいはポリエチレンテレフタレート等のポリエステル樹脂が使用されうる。オレフィン系樹脂としては、例えば、低密度ポリエチレン、線状低密度ポリエチレン、中密度ポリエチレン、高密度ポリエチレン、ポリプロピレンなどの各種オレフィンの重合体、プロピレン−エチレン共重合体などの各種オレフィン同士の共重合体、エチレン−酢酸ビニル共重合体、エチレン系不飽和カルボン酸乃至その無水物でグラフト変性されたオレフィン樹脂等の変性オレフィン系共重合体、及びこれらのブレンド物などが使用されるが、特に好適なものは、高密度ポリエチレンである。また複数の層から形成されていてもよく、例えば、オレフィン系樹脂の内外面層の間にエチレン−ビニルアルコール共重合体等からなるガスバリア性樹脂層が適宜接着剤層を介して形成されていてもよい。また、オレフィン系樹脂層の外面に、ポリエチレンテレフタレート等のポリエステル樹脂層が接着剤層を介して積層された構造を有していてもよい。容器本体部１３としては、高密度ポリエチレンのダイレクトブロー成形による製造が特に好ましい。
【００２９】
次に、図７Ａ〜図７Ｃを参照して、容器１１の開蓋動作について説明する。図７Ａに示すように、可撓性の材質からなる蓋部１５は、容器本体部１３の口部１２に嵌め込まれ、口部を圧着した閉蓋状態となっている。上述したように、容器１１が閉蓋状態にあるときは、蓋部１５の側面部１５ｂの内周側面に形成された突出部２２ａ、２２ｂが、口部１２の側面部１２ａの外周側面に形成された溝部２１ａ、２１ｂを押圧した状態で係止しているため、口部１２に嵌め込まれた蓋部１５の開蓋のため高さ方向（取り出し方向）への移動が阻止されている。したがって、開蓋動作を行うには、以下説明する手順で蓋部１５を撓み変形させて、上記の突出部２２ａ、２２ｂと溝部２１ａ、２１ｂとの係止を解除する必要がある。
【００３０】
蓋部１５の側面部１５ｂの表面処理部１９ａ、１９ｂを親指３１と人差指３２とで挟み、口部１２側に向けて蓋部を撓み変形させる程度の力を加える。側面部１５ｂの外周側面に形成される表面処理部１９ａ、１９ｂは、その内周側面に形成される突出部２２ａ、２２ｂの下方位置に相当し、かつ溝部２１ａ、２１ｂとの間に所定の間隙が形成されている。
【００３１】
図７Ｂに示すように、側面部１５ｂ上の表面処理部１９ａ、１９ｂを親指３１と人差指３２とで、内側に向けて挟むと（矢印３３ａ、３３ｂ方向）、表面処理部１９ａ、１９ｂが形成された部分の側面部１５ｂは、溝部２１ａ、２１ｂとの間の間隙となる空間に向けて押し込まれ、側面部１５ｂの下端が溝部２１ａ、２１ｂの下方側の傾斜部に当たり、蓋部１５を上昇摺動する力が発生する。親指３１と人差指３２とによって挟まれて、更に蓋部１５が撓み変形すると、突出部２２ａ、２２ｂが溝部２１ａ、２１ｂの上方側の傾斜部を押圧しながら上昇摺動する（矢印３５方向）。このとき、蓋部１５の側面部１５ｂには、突出部２２ａ、２２ｂに対して９０度回転した位置に三角形状の切込部１８ａ、１８ｂが形成されているので、上記した蓋部１５の撓み変形を容易に行うことができる。
【００３２】
図７Ｃに示すように、溝部２１ａ、２１ｂの傾斜部を押圧、摺動してせり上がった突出部２２ａ、２２ｂが溝部２１ａ、２１ｂの外へ出ると、溝部２１ａ、２１ｂとの係止が解除され、蓋部１５の外方向への移動、すなわち開蓋が可能となる。係止が解除された後は、親指３１と人差指３２による側面部１５ｂに対する撓み変形のための押圧は不要となり、蓋部１５を矢印３５方向にそのまま持ち上げて開蓋が完了する。
【００３３】
上述したように、閉蓋状態のときは蓋部１５が口部１２に嵌め込まれて圧着すると共に、蓋部１５の突出部２２ａ、２２ｂが口部１２の溝部２１ａ、２１ｂと係止するので開蓋が阻止されることから、幼児等による不要な開蓋を阻止することができる。そして、蓋部１５の側面部１５ｂの外周側面のうち、突出部２２ａ、２２ｂの下方側に設けた表面処理部１９ａ、１９ｂを指で挟み、内側に向けて押圧すると、側面部１５ｂが溝部２１ａ、２１ｂとの間に形成された間隙へ押し込まれ、撓み変形する。この撓み変形により突出部２２ａ、２２ｂが溝部２１ａ、２１ｂからせり上がり、係止が解除されるので、使用者による容器１１の開蓋を容易に行える。一方、手の小さい幼児等にとっては、一対の表面処理部１９ａ、１９ｂを親指３１と人差指３２等で挟み、内側に押し込んで撓み変形させての係止解除は難しい動作であることから、幼児等による不用意な開蓋を阻止することができ、容器１１内の収容物の散乱を防止できる。
【符号の説明】
【００３４】
１１      容器
１２      口部
１２ａ    側面部（口部）
１３      容器本体部
１３ａ    底部（容器本体部）
１３ｂ、１３ｃ、１３ｄ、１３ｅ    側面部（容器本体部）
１３ｆ    肩部（容器本体部）
１５      蓋部
１５ａ    天部（蓋部）
１５ｂ    側面部（蓋部）
１６      開口
１８ａ、１８ｂ    切込部
１９ａ、１９ｂ    表面処理部
２１ａ、２１ｂ    溝部
２２ａ、２２ｂ    突出部
３１      親指
３２      人差指
３３ａ、３３ｂ    矢印
３５      矢印
【図１Ａ】
0006705127.tif 000002
【図１Ｂ】
0006705127.tif 000003
【図２Ａ】
0006705127.tif 000004
【図２Ｂ】
0006705127.tif 000005
【図３】
0006705127.tif 000006
【図４Ａ】
0006705127.tif 000007
【図４Ｂ】
0006705127.tif 000008
【図５Ａ】
0006705127.tif 000009
【図５Ｂ】
0006705127.tif 000010
【図５Ｃ】
0006705127.tif 000011
【図６Ａ】
0006705127.tif 000012
【図６Ｂ】
0006705127.tif 000013
【図７Ａ】
0006705127.tif 000014
【図７Ｂ】
0006705127.tif 000015
【図７Ｃ】
0006705127.tif 000016